(57)【要約】【課題】周囲の環境から振動が伝わって来るような場所においても、着信振動にて認識できる携帯電話機の提供。【解決手段】機能設定処理のステップＳ２１０，Ｓ２２０にて、携帯電話機２の使用者は周囲の騒音や振動と紛らわしくないパターンを任意に選択して、携帯電話機２に設定しておくことができる。したがって、走行中の車両や騒々しい店内に居ても、携帯電話機２の着信振動と周囲からの振動とを区別でき、自己への着信を確実に認識することができる。また、ステップＳ２４０にて、選択された着信音・着信振動パターンのデモが行われるので、使用者は適切な着信音・着信振動パターンに設定されたか否かを設定直後に確認することができる。【選択図】図３
2007306625.tif 000002
【特許請求の範囲】
【請求項１】
着信があった場合に、着信音と振動との両方で着信を報知し、前記着信音が複数の着信音パターンから選択でき、前記振動が複数の着信振動パターンから選択できる携帯電話機であって、
着信があった場合に、選択された着信音パターンに対応する着信音と、選択された着信振動パターンに対応する着信振動とを同じ周期で繰り返して駆動させることで、前記着信音と前記着信振動にて同時に着信報知を行うとともに、この着信報知の１周期での時間軸上において、前記着信振動の発生を、前記着信音の着信音発生制御とは異なる制御を行うことで、前記着信振動を前記着信音のように制御すること特徴とする携帯電話機。
【請求項２】
着信があった場合に、着信音と振動との両方で着信を報知し、前記着信音が複数の着信音パターンから選択でき、前記振動が複数の着信振動パターンから選択できる携帯電話機であって、
着信があった場合に、選択された着信音パターンに対応する着信音と、選択された着信振動パターンに対応する着信振動とを同じ周期で繰り返して駆動させることで、前記着信音と前記着信振動にて同時に着信報知を行うとともに、この着信報知の１周期での時間軸上の各時点において、前記着信振動の発生を、この着信音の発生と独立して制御することを特徴とする携帯電話機。
【請求項３】
着信があった場合に、着信音と振動との両方で着信を報知し、前記着信音が複数の着信音パターンから選択でき、前記振動が複数の着信振動パターンから選択できる携帯電話機であって、
着信があった場合に、選択された着信音パターンに対応する着信音と、選択された着信振動パターンに対応する着信振動とを同じ周期で繰り返して駆動させることで、前記着信音と前記着信振動にて同時に着信報知を行うとともに、この着信報知の１周期での時間軸上の各時点において、前記着信振動の発生を、この着信音の発生のように合わせながら、この着信音の発生と独立して制御することを特徴とする携帯電話機。
【請求項４】
着信があった場合に、着信音と振動との両方で着信を報知し、前記着信音が複数の着信音パターンから選択でき、前記振動が複数の着信振動パターンから選択できる携帯電話機であって、
着信があった場合に、選択された着信音パターンに対応する着信音と、選択された着信振動パターンに対応する着信振動とを同じ周期で繰り返して駆動させることで、前記着信音と前記着信振動にて同時に着信報知を行うとともに、この着信報知の１周期での時間軸上において、前記着信振動の発生を、前記着信音の着信音発生制御とは異なるタイミング制御を行うことで、前記着信振動を前記着信音のように制御すること特徴とする携帯電話機。
【発明の詳細な説明】
【技術分野】
【０００１】
本発明は、振動による呼出が可能な携帯電話機に関する。
【背景技術】
【０００２】
携帯電話機において、着信した場合には着信音と共にあるいは着信音の代りに、携帯電話機が振動することにより、携帯者に知らせるものが知られている（特公平７−６３１９３号公報、特公昭６３−６０９３２号公報等）。
【０００３】
このような着信時の振動（以下「着信振動」と言う）により、他人に着信を知られたくない場合や着信音を発したくない場合、あるいは周囲の騒音が大きくて着信音を認識することができない場合に、自己への着信を認識することができる。
【特許文献１】特公昭６３−６０９３２号公報
【発明の開示】
【発明が解決しようとする課題】
【０００４】
しかし、携帯電話機を着信時に着信振動を発するモードにしていたとしても、同時に周囲から振動が伝わって来るよう環境、例えば走行する車両中や騒々しい店内等では、携帯電話機の着信振動が周囲からの振動に紛れてしまい、着信が認識できない場合が有った。
【０００５】
本発明は、前記課題を解決し、周囲の環境から振動が伝わって来るような場所においても、着信振動にて認識できる携帯電話機を提供することを目的とするものである。
【課題を解決するための手段】
【０００６】
請求項１記載の発明では、
着信があった場合に、着信音と振動との両方で着信を報知し、前記着信音が複数の着信音パターンから選択でき、前記振動が複数の着信振動パターンから選択できる携帯電話機であって、着信があった場合に、選択された着信音パターンに対応する着信音と、選択された着信振動パターンに対応する着信振動とを同じ周期で繰り返して駆動させることで、前記着信音と前記着信振動にて同時に着信報知を行うとともに、この着信報知の１周期での時間軸上において、前記着信振動の発生を、前記着信音の着信音発生制御とは異なる制御を行うことで、前記着信振動を前記着信音のように制御すること特徴としている。
【０００７】
請求項２記載の発明では、
着信があった場合に、着信音と振動との両方で着信を報知し、前記着信音が複数の着信音パターンから選択でき、前記振動が複数の着信振動パターンから選択できる携帯電話機であって、着信があった場合に、選択された着信音パターンに対応する着信音と、選択された着信振動パターンに対応する着信振動とを同じ周期で繰り返して駆動させることで、前記着信音と前記着信振動にて同時に着信報知を行うとともに、この着信報知の１周期での時間軸上の各時点において、前記着信振動の発生を、この着信音の発生と独立して制御することを特徴とている。
【０００８】
請求項３記載の発明では、
着信があった場合に、着信音と振動との両方で着信を報知し、前記着信音が複数の着信音パターンから選択でき、前記振動が複数の着信振動パターンから選択できる携帯電話機であって、着信があった場合に、選択された着信音パターンに対応する着信音と、選択された着信振動パターンに対応する着信振動とを同じ周期で繰り返して駆動させることで、前記着信音と前記着信振動にて同時に着信報知を行うとともに、この着信報知の１周期での時間軸上の各時点において、前記着信振動の発生を、この着信音の発生のように合わせながら、この着信音の発生と独立して制御することを特徴としている。
【０００９】
請求項４記載の発明では、
着信があった場合に、着信音と振動との両方で着信を報知し、前記着信音が複数の着信音パターンから選択でき、前記振動が複数の着信振動パターンから選択できる携帯電話機であって、着信があった場合に、選択された着信音パターンに対応する着信音と、選択された着信振動パターンに対応する着信振動とを同じ周期で繰り返して駆動させることで、前記着信音と前記着信振動にて同時に着信報知を行うとともに、この着信報知の１周期での時間軸上において、前記着信振動の発生を、前記着信音の着信音発生制御とは異なるタイミング制御を行うことで、前記着信振動を前記着信音のように制御することを特徴としている。
【発明の効果】
【００１０】
これによれば、着信振動のパターンの設定を変更することが可能である。したがって、周囲からの振動と紛らわしい振動パターンが着信振動として携帯電話機に既に設定してあった場合には、周囲からの振動とは異なる振動パターンを着信振動としてデモ／設定することにより、周囲からの振動と着信振動とを区別できるので、自己への着信を確実に認識することができる。
【発明を実施するための最良の形態】
【００１１】
図１は、一実施の形態としての携帯電話機２の概略ブロック図を示す。携帯電話機２は、アンテナ部４、送受信部６、表示部７、キー入力部８、制御回路１０、音声入力部１１、発音部１２および振動部１４を備えている。
【００１２】
アンテナ部４は、携帯電話機２の本体２ａ内に入出可能に設けられている。このアンテナ部４に接続された送受信部６は、アンテナ部４を介して無線通信回線網との間で送受信を行って、音声入力部１１に入力された音声を無線信号として発信し、受信した無線信号を音声として発音部１２から発声させる。表示部７は液晶ディスプレイとそのドライブ回路とからなり、携帯電話機２の状態や各種メッセージ等を表示する。キー入力部８は、備えられた複数のキーを介して、携帯電話機２の使用者からの指示を入力する。
【００１３】
制御回路１０は、キー入力部８からの指示に応じて、内部のメモリに記憶している設定を変更したり、送受信部６を介して他の携帯電話機を発呼し、送受信部６に相手方との通信処理を行わせる。また、送受信部６を介して着信されたことが判明すると、使用者に対して、発音部１２または振動部１４を駆動して使用者に着信を報知し、キー入力部８を介して応答の指示が有れば、送受信部６に相手方との通信処理を行わせる。
【００１４】
発音部１２は、ドライブ回路１２ａおよびスピーカ１２ｂを備え、振動部１４は、ドライブ回路１４ａおよびバイブレータ１４ｂを備えている。制御回路１０から出力信号が発音部１２のドライブ回路１２ａに入力されると、その出力信号に従って、スピーカ１２ｂから所定の周波数に設定された音が出力される。また、制御回路１０から出力信号が振動部１４のドライブ回路１４ａに入力されると、その出力信号に従って、バイブレータ１４ｂに振動が生じ、この振動により携帯電話機２の本体２ａが振動する。
【００１５】
制御回路１０は、マイクロコンピュータとして構成され、ＣＰＵ、ＲＯＭ、ＲＡＭ、バックアップＲＡＭ、バスライン、Ｉ／Ｏ等を備えている。次に、制御回路１０のＲＯＭ内に記憶されている処理の内、着信音および着信振動に関する処理について説明する。
【００１６】
まず、図２および図３に、使用者により携帯電話機２の機能が設定される際に制御回路１０が実行する機能設定処理のフローチャートを示す。本機能設定処理は、携帯電話機２が特定の処理を実行していない状態である通常モード時に、キー入力部８に備えられているファンクションキーを押し下げることにより開始される。
【００１７】
最初に２桁の機能番号の入力待ちとなる（Ｓ１１０）。ここで、使用者が現在オフの状態にあるバイブレータ機能をオンに設定するために、バイブレータ機能設定モードの番号である「１４」を、キー入力部８に備えられているテンキーの内の「１」、「４」を押し下げて入力すると、機能番号の入力がなされたため、ステップＳ１１０では「ＹＥＳ」と判定されて、次に、入力された機能番号がバイブレータ機能設定か否かが判断される（Ｓ１２０）。
【００１８】
使用者はバイブレータ機能設定モードを示す機能番号「１４」を入力したので、ステップＳ１２０では「ＹＥＳ」と判定されて、表示部７に「バイブレータ１：ＯＮ／３：ＯＦＦ」という内容の選択メニューが表示される（Ｓ１３０）。この表示の内、「ＯＦＦ」がブリンク状態であることにより、現在の設定状態も表示される。
【００１９】
次に使用者の選択指示待ちとなる（Ｓ１４０）。前述した表示の内、「１：ＯＮ／３：ＯＦＦ」は、テンキーの内、「１」のキーを押し下げれば、「ＯＮ」の設定がなされ、「３」のキーを押し下げれば、「ＯＦＦ」の設定がなされることを意味する。
【００２０】
ここで、使用者が「１」のキーを押し下げれば、ステップＳ１４０で「ＹＥＳ」と判定され、バイブレータ機能が「ＯＮ」に設定されたので、表示部７の表示を「バイブレータ    ＯＮ」の表示に切り換える（Ｓ１４５）。次に、バイブレータ機能設定の内容を制御回路１０内の揮発性メモリであるＲＡＭに記憶し（Ｓ１５０）、次に今回設定した内容が、直前の設定と異なるか否かを判定する（Ｓ１６０）。直前は「ＯＦＦ」であり、今回は「ＯＮ」であることから、直前の設定と異なるので、ステップＳ１６０では「ＹＥＳ」と判定される。
【００２１】
次に制御回路１０内の不揮発性メモリであるバックアップＲＡＭに、バイブレータ機能設定の内容が記憶され（Ｓ１７０）、通常モードに戻る。設定内容が変更されていない場合には、ステップＳ１６０では「ＮＯ」と判定されて、バックアップＲＡＭへの記憶はなされずに、通常モードに戻る。
【００２２】
ステップＳ１６０、Ｓ１７０の処理により現在の設定状態が常にバックアップＲＡＭに保持されているが、これは、携帯電話機２の電源オフ時にも機能設定内容を保持するためであり、他の機能についても変更が有れば同様にしてバックアップＲＡＭにも記憶がなされる。
【００２３】
次に、使用者が着信音と着信振動との両方のパターンを設定する場合を説明する。まず、図２のステップＳ１１０の機能番号入力待ちにて、使用者が着信音および着信振動のパターン設定を指示する「１３」をテンキーにより入力すると、ステップＳ１２０では「ＮＯ」と判定されて、図３の着信音・着信振動パターン選択処理か否かが判定される（Ｓ２００）。ここで、機能番号「１３」は、着信音・着信振動パターン選択指示を表しているので、「ＹＥＳ」と判定されて、表示部７に「チャクシンパターン    １／２／３／４／５」という内容の選択メニューが表示される（Ｓ２１０）。この表示の内、「１／２／３／４／５」は、５種類の着信音・着信振動パターンが存在し、その中から番号にて選択できることを意味する。現在の設定状態が「１」であれば、表示の内で「１」の部分がブリンク状態となって、現在の設定状態も表示される。
【００２４】
次に使用者の選択指示待ちとなる（Ｓ２２０）。ここで、使用者が「２」のキーを押し下げれば、着信音・着信振動パターンが「２」に設定されたので、表示部７の表示を「チャクシンパターン    ２」の表示に切り換える（Ｓ２２５）。または「チャクシンパターン    １／２／３／４／５」の表示のままで、「１」の表示のブリンクを停止して、「２」をブリンクさせる。
【００２５】
次に、バイブレータ機能設定の内容を制御回路１０内の揮発性メモリであるＲＡＭに記憶し（Ｓ２３０）、次に選択された着信音・着信振動パターンのデモが行われる（Ｓ２４０）。すなわち、制御回路１０は、後述する図４，５と同様な処理にて、選択された着信音・着信振動パターンに対応する出力信号を、発音部１２のドライブ回路１２ａに出力して、選択されたパターンの着信音をスピーカ１２ｂから発生させるとともに、選択された着信音・着信振動パターンに対応する出力信号を、振動部１４のドライブ回路１４ａに出力して、選択されたパターンの着信振動をバイブレータ１４ｂから発生させる。このことにより、使用者は適切な着信音・着信振動パターンに設定されたか否かを設定直後に確認することができる。
【００２６】
次に、今回設定した内容が、直前の設定と異なるか否かを判定する（Ｓ２５０）。直前は着信音・着信振動パターンは「１」であり、今回は「２」であることから、直前の設定と異なり、ステップＳ２５０では「ＹＥＳ」と判定され、次に制御回路１０内の不揮発性メモリであるバックアップＲＡＭに、着信音・着信振動パターン設定の内容が記憶され（Ｓ２６０）、通常モードに戻る。設定内容が変更されていない場合には、ステップＳ２５０では「ＮＯ」と判定されて、バックアップＲＡＭへの記憶はなされずに、通常モードに戻る。
【００２７】
次に、着信時における着信音・着信振動の出力処理について説明する。図４は、着信時処理のフローチャートを示している。本処理は他の携帯電話機から着信があったタイミングで開始される処理である。まず、制御回路１０内のＲＡＭに設定してある着信振動機能、着信音・着信振動パターンの設定内容、その他、音量等の設定内容を、ＲＡＭの作業領域に読み込む（Ｓ３００）。次に着信処理用割込処理の割込を禁止する（Ｓ３１０）。この着信処理用割込処理は図５に示す割込処理であり、詳細は後述する。
【００２８】
次に割込回数カウンタＣをゼロクリアする（Ｓ３２０）。次に状態を示す変数ステートに「１」を設定する（Ｓ３３０）。次に、ＲＡＭの作業領域に読み込んだ設定内容に基づいて音量を指示する信号を発音部１２のドライブ回路１２ａに出力して、スピーカ１２ｂから発する音量を設定する（Ｓ３４０）。
【００２９】
次に図５に示した着信処理用割込処理の割込間隔を設定する（Ｓ３５０）。この割込間隔は予め制御回路１０のＲＯＭ中に９６Ｈｚとして設定されているので、この９６Ｈｚ、すなわち９６回／秒の割込がかかるように設定する。次に着信処理用割込処理の割込実行を許可する（Ｓ３６０）。このことにより図５の着信処理用割込処理が９６Ｈｚで実行される。
【００３０】
次にキー入力部８の応答キーが押し下げられたか否かが判定され（Ｓ３７０）、応答キーが押し下げられていない場合は「ＮＯ」と判定されて、次に通信の相手方が回線を切断したか否かが判定され（Ｓ３８０）、切断していなければ「ＮＯ」と判定されて、再度、ステップＳ３７０に戻る。すなわち、使用者により応答キーが押し下げられるか、相手方が回線を切断するまでステップＳ３７０とステップＳ３８０とを繰り返す。使用者により応答キーが押し下げられ、あるいは相手方が回線を切断すれば、ステップＳ３７０またはステップＳ３８０にて「ＹＥＳ」と判定されて、着信処理用割込処理が禁止され更に両ドライブ回路１２ａ，１４ａに対する出力信号がパワーダウンにされて（Ｓ３９０）、通常の通信処理に移る。すなわち、応答キーが押し下げられた場合には、送受信部６による無線通信回線を介しての通常の会話処理が行われ、相手方が回線を切断した場合には、通常モードに戻る。
【００３１】
したがって、このステップＳ３７０，Ｓ３８０を繰り返している間は、図５の着信処理用割込処理が９６Ｈｚで繰り返し実行される。図５に示した着信処理用割込処理について説明する。まず、ステートの状態が判定される（Ｓ４００）。最初はステート＝１であるので、処理が１周期終了したか否かが判定される（Ｓ４１０）。この１周期とは、着信音・着信振動パターンの１周期を示し、ここでは、割込回数カウンタＣが０から９５になるまでの期間を１周期としている。後述するごとく、着信音・着信振動パターンが「２」では、１周期は３秒間に該当する。
したがってステップＳ４１０ではＣ＝９５か否かが判定される。最初は初期設定（図示していない）にてＣ＝０であるので、ステップＳ４１０では否定判定されて、Ｃがインクリメントされる（Ｓ４２０）。すなわち、Ｃ＝１となる。次にパルス発生区間か否かが判定される（Ｓ４４０）。このパルス発生区間は、前述した「振動パターンの内で振動を発生する区間」に該当し、前記１周期の間に、着信音および着信振動を発生させるためのパルス状出力信号を制御回路１０からドライブ回路１２ａ，１４ａに出力する期間を意味する。このパルス発生区間は、前記ステップＳ２１０，Ｓ２２０にて選択された着信音・着信振動パターンに応じて異なっている。すなわち、１周期内でのパルス発生区間の配置により、着信音・着信振動パターンが種々設定される。
【００３２】
前述したごとく着信音・着信振動パターンは「２」に設定されている。ここで着信音・着信振動パターン「２」が表すパターン内容が、１周期が３秒間であり、その内の１秒間をパルス発生区間として着信音および着信振動を生じ、２秒間をパルス発生区間以外の区間として着信音および着信振動を発生しない状態のくり返しであるとすると、Ｃ＝０〜３１の期間はパルス発生区間であり、Ｃ＝３２〜９５はパルス発生区間以外の区間となる。
【００３３】
したがって、ステップＳ４４０にて、Ｃ＝０〜３１の場合は、パルス発生区間として「ＹＥＳ」と判定され、発音部１２のドライブ回路１２ａがパワーダウンされていれば、パワーアップし、パワーアップされていればパワーダウンする処理が行われる（Ｓ４５０）。
【００３４】
図６のタイミングチャートに示すごとく、制御回路１０から発音部１２のドライブ回路１２ａへの着信音出力［図６（ｅ）］は、着信直後（時刻ｔ０）はパワーダウンを指示している状態であるので、ステップＳ４５０ではパワーアップに切替えられる。このため、スピーカ１２ｂからは所定の周波数の音が発生する。
【００３５】
次にステート＝２に設定される（Ｓ４８０）。そして再度、ステップＳ４４０と同じ判定、すなわち、パルス発生区間か否かが判定される（Ｓ４９０）。同じくＣ＝０であり、「ＹＥＳ」と判定されて、振動部１４のドライブ回路１４ａがパワーダウンされていれば、パワーアップし、パワーアップされていればパワーダウンする処理が行われる（Ｓ５００）。図６のタイミングチャートに示すごとく、制御回路１０から振動部１４のドライブ回路１４ａへの着信振動出力［図６（ｆ）］は、着信直後（時刻ｔ０）はパワーダウンを指示している状態であるので、ステップＳ５００ではパワーアップに切替えられる。このため、バイブレータ１４ｂに通電される。こうして、一旦、割込処理を終了する。
【００３６】
再度、時刻ｔ１にて着信処理用割込処理が開始されると、ステート＝２となっているので、ステップＳ４００からステップＳ５１０に移行してステート＝３に設定される。次にＣ＝１であるので、ステップＳ４９０にて「ＹＥＳ」と判定され、ステップＳ５００にて、着信振動出力は今度はパワーダウンされる。このため、バイブレータ１４ｂは非通電となる。こうして、一旦、割込処理を終了する。
【００３７】
時刻ｔ２にて、次の着信処理用割込処理が開始されると、ステート＝３となっているので、ステップＳ４００からステップＳ５２０に移行してステート＝１に設定される。次にＣ＝１であるので、ステップＳ４９０にて「ＹＥＳ」と判定され、ステップＳ５００にて、着信振動出力は今度はパワーアップされる。このため、バイブレータ１４ｂに通電される。こうして、一旦、割込処理を終了する。
時刻ｔ３にて、次の着信処理用割込処理が開始されると、ステート＝１となっているので、ステップＳ４００からステップＳ４１０に移行して、Ｃ＝９５か否かが判定される。Ｃ＝１であるので、「ＮＯ」と判定されて、Ｃがインクリメントされる（Ｓ４２０）。ここで、Ｃ＝２となる。
【００３８】
次にＣ＝０〜３１か否かが判定され（Ｓ４４０）、Ｃ＝２であることから「ＹＥＳ」と判定され、ステップＳ４５０にて、発音部１２のドライブ回路１２ａへの着信音出力がパワーアップからパワーダウンに切替えられる。このことによりスピーカ１２ｂからの着信音発生が一旦停止する。
【００３９】
そしてステップＳ４８０ではステート＝２に設定され、ステップＳ４９０では「ＹＥＳ」と判定されて、着信振動出力がパワーアップからパワーダウンに切替えられる。このためバイブレータ１４ｂは非通電状態となる。以後、Ｃ＝０〜３１である限り、着信処理用割込処理が実行される毎に、バイブレータ１４ｂには通電・非通電が繰り返され、バイブレータ１４ｂは通電・非通電の周期で振動し、この振動により携帯電話機２の本体２ａを振動させる。すなわち、バイブレータ１４ｂに対する駆動エネルギーの供給の有無を切り替えることにより、バイブレータ１４ｂに振動を発生させている。
【００４０】
また、Ｃ＝０〜３１である限り、着信処理用割込処理が３回実行される毎に、スピーカ１２ｂからの着信音発生と停止とが繰り返され、振動するがごとくの着信音を発する。上述のようにしてＣがインクリメントされ、Ｃ＝３２となった場合（図７の時刻ｔ１０）には、ステップＳ４４０にて「ＮＯ」と判定され、発音部１２のドライブ回路１２ａに対する着信音出力がパワーダウンされ（Ｓ４６０）、振動部１４のドライブ回路１４ａに対する着信振動出力がパワーダウンされる（Ｓ４７０）。すなわち、１秒間のパルス発生区間が経過したので、着信音出力のパルスと、着信振動出力のパルスを停止するためである。
【００４１】
次にステップＳ４８０にてステート＝２にされた後、ステップＳ４９０の判定にても、「ＮＯ」と判定されるので、着信振動出力はパワーダウンのまま処理を一旦終了する。以後、着信処理用割込処理が３回なされる毎にＣがインクリメントされるが、３１＜Ｃ＜９５であるので、着信音出力および着信振動出力ともにパルスは出力されない。すなわち、Ｃ＝９５となるまで、２秒間、着信音も着信振動も生じない。
【００４２】
Ｃのインクリメントの結果、Ｃ＝９５となった場合（図７の時刻ｔ２０）に、着信処理用割込処理のステップＳ４１０にては「ＹＥＳ」と判定され、Ｃ＝０とされる（Ｓ４３０）。したがって、再度、パルス発生区間に入るので、前述したごとくの着信音の発生と着信振動の発生が１秒間なされ、Ｃ＝３１となれば、再度、２秒間の着信音および着信振動の停止状態が継続する。
【００４３】
このように、１秒間は着信音と着信振動とが発生し、次の２秒間は停止すると言う繰り返しパターンが、使用者により応答キーが押し下げられる（Ｓ３７０で「ＹＥＳ」）か、相手方が回線を切断する（Ｓ３８０で「ＹＥＳ」）まで実行される。
【００４４】
そしてステップＳ３７０またはステップＳ３８０にて「ＹＥＳ」となれば（図６の時刻ｔ１００）、前述したごとくステップＳ３９０が実行されて、通常の処理に移る。上述した「２」の着信音・着信振動パターンは、３秒間を１周期として、１秒間の着信音および着信振動の発生と２秒間の停止のくり返しであった。その他のパターン１，３〜５についても、１周期の長さと、着信音および着信振動の発生有無の比率により、決定されている。例えば１秒間を１周期として着信音および着信振動の発生有無の比率を１：１としたり、１周期が３秒間以上として、その１周期内で、複数、パルス発生区間を設けたりしても良い。
【００４５】
したがって、ステップＳ２１０，Ｓ２２０の処理により、携帯電話機２の使用者は周囲の騒音や振動と紛らわしくないパターンを任意に選択して、携帯電話機２に設定しておくことができるので、周囲からの振動と着信振動とを区別でき、自己への着信を確実に認識することができる。
【００４６】
また、着信音のパターンと着信振動のパターンとをステップＳ２１０，Ｓ２２０の処理により、同時に選択できるので、パターンの設定が効率的である。本実施の形態において、バイブレータ１４ｂが振動手段に該当し、制御回路１０の処理の内、図２，３の処理が入力手段としての処理に該当し、図４，５の処理が振動制御手段としての処理に該当する。
【００４７】
［その他］
前記実施の形態では、着信音パターンと着信振動パターンとを同時に設定していたが、着信音パターンと着信振動パターンとを個別に設定しても良い。すなわち、着信音パターンと着信振動パターンとを異なるパターンとして設定しても良い。
【００４８】
また、着信音のパターンは固定状態とし、着信振動のパターンのみ切換可能にしても良い。また、着信音パターンおよび着信振動パターンは、予め用意されているパターンから選択したが、使用者がパターンを作成して登録するようにしても良い。
【００４９】
前記実施の形態では、携帯電話機２を挙げたが、携帯電話機の一種であるＰＨＳ（パーソナルハンディホーンシステム）用子機でもよく、前記実施の形態と同様に着信振動のパターンとして、周囲の騒音や振動と紛らわしくないパターンを選択して、ＰＨＳの子機に設定しておけば、周囲からの振動と着信振動とを区別でき、自己への着信を確実に認識することができる。
【図面の簡単な説明】
【００５０】
【図１】一実施の形態としての携帯電話機の概略ブロック図である。
【図２】前記実施の形態における機能設定処理のフローチャートである。
【図３】前記実施の形態における機能設定処理のフローチャートである。
【図４】前記実施の形態における着信時処理のフローチャートである。
【図５】前記実施の形態における着信処理用割込処理のフローチャートである。
【図６】前記実施の形態における着信時の着信音・着信振動パターンの出力状態を説明するタイミングチャートである。
【図７】前記実施の形態における着信時の着信音・着信振動パターンの出力状態を説明するタイミングチャートである。
【符号の説明】
【００５１】
２…携帯電話機、２ａ…携帯電話機本体、４…アンテナ部
６…送受信部、７…表示部、８…キー入力部
１０…制御回路、１２…発音部、１２ａ…発音部ドライブ回路
１２ｂ…スピーカ、１４…振動部、１４ａ…振動部ドライブ回路
１４ｂ…バイブレータ
【図１】
2007306625.tif 000003
【図２】
2007306625.tif 000004
【図３】
2007306625.tif 000005
【図４】
2007306625.tif 000006
【図５】
2007306625.tif 000007
【図６】
2007306625.tif 000008
【図７】
2007306625.tif 000009